(57)【要約】【課題】  展示状態において魅力的なメダルを提供すること。【解決手段】メダル(１)であって、少なくとも一部が、複数の環状分割線(Ｘ１〜Ｘ４)によって分断される複数のパーツ(２〜６)を組み合わせることによって構成され、一の前記パーツを隣接する他の前記パーツに対して回動可能に連結したことを特徴とする。【選択図】図１
2019068917.tif 000002
【特許請求の範囲】
【請求項１】
少なくとも一部が、環状分割線によって分断される複数のパーツを組み合わせることによって構成され、一の前記パーツを隣接する他の前記パーツに対して回動可能に連結したことを特徴とするメダル。
【請求項２】
請求項１記載のメダルであって、前記環状分断線は同芯であることを特徴とするメダル。
【請求項３】
請求項１記載のメダルであって、前記環状分断線は同芯ではないことを特徴とするメダル。
【請求項４】
請求項１乃至３のいずれか記載のメダルであって、隣接する前記パーツ間に、それぞれの前記パーツにおいて、回動中心の対角線上に一対の軸体を挿入することで、前記パーツを回転可能に連結したことを特徴とするメダル。
【請求項５】
請求項４記載のメダルであって、前記軸体の周側面の少なくとも一部には、外周面から挿入する前記パーツの挿入穴と螺合するネジが切られており、前記ネジの締め付けを調整することにより、内側の隣接する前記パーツの回動抵抗を調整可能なことを特徴とするメダル。
【請求項６】
請求項1乃至３のいずれか記載のメダルであって、前記パーツは第１部分と第２部分とから構成され、前記第１部分及び第２部分は、それぞれ端部に前記メダルの表面と交差する方向に連結・分離可能な凸部および凹部を有し、一の前記パーツの前記凸部には隣接する他の前記パーツの穴に挿入される軸体が固定されていることを特徴とするメダル。
【請求項７】
請求項１乃至３のいずれか記載のメダルであって、前記パーツの内周面には、対角線上に一対の突起が形成され、隣接する前記パーツの外周面には前記突起に嵌合する窪みが形成されていることを特徴とするメダル。
【請求項８】
請求項１乃至７のいずれか記載のメダルであって、一の前記パーツと隣接する他の前記パーツとの接合面は一部が傾斜しており、前記パーツの回転方向を一方向に限定することを特徴とするメダル。
【請求項９】
請求項１乃至８のいずれか記載のメダルであって、一の前記パーツと外側に隣接する他の前記パーツとの接合面は、一の前記パーツの回動中心を同芯とする曲面で形成されていることを特徴とするメダル。
【請求項１０】
請求項１乃至９のいずれか記載のメダルであって、前記パーツは隣接する前記パーツに対して相対的に自由な角度で姿勢が維持されることを特徴とするメダル。
【請求項１１】
請求項１乃至10のいずれか記載のメダルであって、前記パーツの外周面と隣接する前記パーツの内周面の、互いに対面する位置に一対の磁石を埋設し、前記パーツを折り畳んだ際、前記磁石同士が引き合って折り畳んだ姿勢が維持することができることを特徴とするメダル。
【請求項１２】
請求項１乃至11のいずれか記載のメダルであって、最外部に位置する前記パーツには内周面と外周面を貫通するリボン取付け穴が形成されており、該リボン取付け穴の前記内周面側は、前記外周面側に比べて大きく開口しており、一端にアンカーを有するリボンの他端を、前記内周面側から前記リボン取付け穴に挿入した際に、前記アンカーが前記リボン取付穴に係合し、かつ前記アンカーが前記内周面から突出しないことを特徴とするメダル。
【請求項１３】
請求項１乃至12のいずれか記載のメダルであって、前記パーツは、互いに異材質で形成されることを特徴とするメダル。
【発明の詳細な説明】
【技術分野】
【０００１】
本発明は、展示映えすることを可能にするメダルに関するものである。
【背景技術】
【０００２】
オリンピックを始め、スポーツや文化の各種競技大会で授与される従来のメダルは、リボンに吊るされて、受賞者の首にかけられるものである。メダルは受賞者個人の所有物であり、それを展示に供するということは想定されずにデザインされてきた。
【先行技術文献】
【特許文献】
【０００３】
【特許文献１】実開昭62-95655号
【発明の概要】
【発明が解決しようとする課題】
【０００４】
しかしながら、近年、オリンピック等の競技大会の注目度が高まるにつれて、競技団体が展示会を設け、もしくは、博物館などにおいて、メダルを展示することが行われるようになってきている。
【０００５】
従来のメダルは、表面に各種競技大会に因んだ意匠が施されるものの、基本的な基体は平たいプレート形状を有し、その多くは円盤状のものであった。したがって、かかるメダルを展示する際には、そのまま展示板の上に載せて行うか、上述の特許文献のように、メダルを透明なケースに保持して、ケースの下端に取り付ける台座により、メダルを起立させた状態で展示するなど、その展示方法は単純でかつ平面的なものあった。
【０００６】
そこで、本発明のメダルの目的は、メダルの基体の形状を取ることができながら、一方で、展示の際には、立体的な表現を行うことができるメダルを提供することにある。
【課題を解決するための手段】
【０００７】
上記目的を達成するための本発明のメダルの代表的な構成は、少なくとも一部が、複数の環状分割線によって分断される複数のパーツを組み合わせることによって構成され、一の前記パーツを隣接する他の前記パーツに対して回動可能に連結したことを特徴とする。
【発明の効果】
【０００８】
本発明によれば、メダルを構成する各パーツを回動させて展開して、立体的な形状に変化させることができ、特に展示する際に魅力的なものにすることができるメダルを提供することができる。
【図面の簡単な説明】
【０００９】
【図１】本発明の第１実施形態のメダルであって、折り畳み状態及び展開状態を示す説明図である。
【図２】同第１実施形態のメダルの部分断面図である。
【図３】同第１実施形態のメダルであって、展示状態を示す説明図である。
【図４】同第２実施形態のメダルの部分断面図である。
【図５】同第３実施形態のメダルであって、授与状態を示す説明図である。
【図６】同第４実施形態のメダルであって、授与状態と展示状態とを示す説明図である。
【図７】同第５実施形態のメダルであって、授与状態と展示状態とを示す説明図である。
【図８】同第６実施形態のメダルであって、授与状態と展示状態とを示す説明図である。
【図９】同第７実施形態のメダルであって、授与状態と展示状態とを示す説明図である。
【図１０】同第８実施形態のメダルであって、組み立て構造を示す説明図である。
【図１１】同第９実施形態のメダルであって、組み立て構造を示す説明図である。
【図１２】同第10実施形態のメダルであって、メダルの部分断面図である。
【図１３】同第11実施形態のメダルであって、折り畳み状態を示す説明図である。
【図１４】同第12実施形態のメダルであって、リボンの取付け方法を示す説明図である。
【発明を実施するための形態】
【００１０】
本発明の聖火トーチの第１実施形態を、図１乃至図３を用いて以下に説明する。図１(ａ)は、通常の折り畳み状態のメダルの正面図であり、同図(ｂ)は、展開状態のメダルの正面図である。
【００１１】
図１(ａ)に示すように、本実施形態のメダル１(１Ａ)は、所定の厚みを有する金属製の円板であって、内側から外側に徐々に径を大きくし、一方が他方の内側に入るように位置する同芯円状の環状分割線Ｘ１乃至Ｘ４によって、第１パーツ２乃至第５パーツ６に分割されている。第１パーツは円板のパーツであり、第２パーツ乃至第５パーツ６は環状のパーツとなる。なお、同芯円状とは、各パーツの回動中心が一致していることをいう。
【００１２】
第１パーツ２と第２パーツ３には、両者間を貫く一対の第１軸体７Ａ、７Ｂが挿入されている。これら一対の軸体７Ａ、７Ｂは互いに第１パーツ２及び第２パーツ３の対角線上に位置しており、第１パーツ２と第２パーツ３とは、これら軸体７Ａ、７Ｂを中心に回動可能に連結された構造となっている。
【００１３】
第２パーツ３と第３パーツ４との間、第３パーツ４と第４パーツ５との間、第４パーツ５と第５パーツ６との間も同様に、それぞれ一対の第２軸体８Ａ、８Ｂ、第３軸体９Ａ、９Ｂ、第４軸体10Ａ、10Ｂによって回動可能に連結されている。後述するように、それぞれの軸体７Ａ乃至10Ｂは、ネジ構造及びある程度の力でそれぞれのパーツ２乃至６に圧入されており、自由な回動角度で位置決めすることができる構造となっている。
【００１４】
最も外側に位置する第５パーツ６の上端外周面には金具21を留めるネジ穴11が、また、下端外周面には後述する展示用台座のロッドに取り付けるためのネジ穴12がそれぞれ設けられている。
【００１５】
図１(Ａ)に示すように、金具21をネジ穴11に固定し、金具21に首かけ用リボン22を通すことで、メダル１(１Ａ)を、折り畳んだ通常の状態で、授賞式に使用することができる。
【００１６】
一方、図１(Ｂ)に示すように、メダル１(１Ｂ)の各パーツ２乃至６は、それぞれに挿入された軸体７Ａ乃至10Ｂを中心に回動させれば、展開した状態に変形することができる。
【００１７】
このとき、本実施形態では、第１軸体７Ａ、７Ｂと第３軸体９Ａ、９Ｂを第１の直線上に、第２軸体８Ａ、８Ｂと第４軸体10Ａ、10Ｂとを該直線から90度ずらした第２の直線上に配置しているため、同図に示すように、各パーツ２乃至６をねじれた状態でより立体的に展開することができる。
【００１８】
軸体の構造を、図２を用いて説明する。図２は第１軸体７Ａ、７Ｂ方向の、メダル１(１Ａ)の部分断面図である。
【００１９】
軸体７Ａ、７Ｂはいずれも外周面にネジが切られている本体部７ａと、ネジが切られていない先端挿入部７ｂとから構成される。また、本体部７ａの端面には、ネジ穴(本実施形態ではマイナスネジ)が切られている。
【００２０】
そして、第２パーツ３には本体部７ｂと螺合し、かつ挿入部７ａを突出可能な挿入穴たる貫通穴３ａが形成され、第１パーツ２には、第２パーツ３の外周面から軸体７A、７Bを挿入した際に、貫通穴３ｂから突出した軸体７Ａ、７Ｂの先端挿入部７ｂを挿通可能な篏合穴２ａが形成されている。
【００２１】
軸体７Ａ、７Ｂを両側から、第２パーツ３の篏合穴３ｂに挿入してネジを締めると、軸体７Ａ、７Ｂの先端挿入部７ｂが第１パーツ２の篏合穴２ｂに挿入される。第１パーツ２は、一対の軸体７Ａ、７Ｂが対向するように進行するため第１パーツ２は両側から締め付けられ、ネジの締め具合を調整することで、回動摩擦を調整することができる。
【００２２】
同様に他の軸体８Ａ乃至10Ｂも、それぞれのパーツ４乃至６の貫通穴４ｂ乃至６ｂに取り付けることでパーツ間の連結を行う。なお、各パーツ間において、内側に来るパーツの内周面は角を丸くして、回動時に外側パーツとのクリアランスを確保する形状とすることが望ましい。
【００２３】
次に、展開状態のメダル１(１Ｂ)を、図３を用いて説明する。図３(ａ)はメダルの展示状態を示す斜視図、同図(ｂ)はメダルの展示状態を示す平面図、同図(ｃ)はメダルの展示状態を示す正面図である。
【００２４】
これらの図に示すように、各パーツ２乃至６を回転させて展開したメダル１(１Ｂ)は、展示用台座23に固定して、展示することができる。
【００２５】
展示用台座23は、先端24ａにネジが切られているロッド24が立設されている。メダル１から、金具21とリボン22を取り外したあと、第５パーツ６の下端外周面のネジ穴12に、ロッド24の先端24ａを螺合して固定する。
【００２６】
そのうえで、メダル１を展開することで、展示台座23上にメダル１(１Ｂ)を立体的に展示することができる。なお、展示台座23には図示しない収納空間が設けられており、取り外した金具21とリボン22はこの収納空間に収納することができる。
【００２７】
本発明の第２実施形態のメダル101を、図４に基づいて説明する。図４(ａ)は、第２実施形態のメダル101の第２軸体８Ａ、８Ｂ方向の部分断面図、同図(ｂ)は、同メダル101の第１軸体７Ａ、７Ｂ方向の部分断面図である。
【００２８】
メダル101は、第一実施形態のメダル１と異なり、回転中心となる軸体７Ａ乃至10Ｂに対して直交する方向の、それぞれのパーツ２乃至６の外周面及び内周面が、傾斜面となるように形成されている。例えば、図４(ａ)においては、第１パーツ２と第２パーツ３の傾斜面２ｓ、３ｓは両側が反対方向に傾斜する傾斜面に形成されている。また、同図(ｂ)においては、第２パーツ３と第３パーツ４も、両側が傾斜面２ｓ、３ｓと反対方向に傾斜する傾斜面３ｓ、４ｓを有している。
【００２９】
傾斜面を形成することにより、メダル101の各パーツ２乃至６の回転方向は一方向に限定されるが、一方、各パーツ２乃至６の厚みによる回動時のクリアランスを考えてエッジの面取りをする必要がないため、環状分割線Ｘ１乃至Ｘ４を目立たなくすることができる。
【００３０】
本発明の第３実施形態のメダル102を、図５に基づいて説明する。図５は、第３実施形態のメダル102の正面図である。
【００３１】
第１及び第２実施形態のメダル１、101と異なり、一番外側のパーツ26は、環状分割線ではない、分割線Ｘ14により分離されており、同パーツ26自体も環状形状を有しない。
【００３２】
このように、本発明は少なくとも一部のパーツが環状分割線で分割されておればよく、従って、第３実施形態のメダル102のように、一部の分割線が環状ではなくてもよい。
【００３３】
かかる構造を選択すれば、近年、かならずしも円板形状を有さないユニークなメダル形状にも応用することができる。例えば、四角版状のメダルであって、分割線により分離される内側の一部が円形の環状分割線で分割される構造なども選択することができる。
【００３４】
本発明の第４実施形態のメダル103を、図６に基づいて説明する。図６(ａ)は折り畳み状態の第４実施形態のメダル103の正面図、同図(ｂ)は展開状態の同メダル103の正面図、そして同図(ｃ)は展示状態のメダル103の斜視図である。
【００３５】
メダル103は、第１実施形態のメダル１と異なり、各パーツを回転させる複数の軸体を一直線上に配置し、各パーツの回動方向を同一平面方向としている。本実施形態では、軸体を垂直方向に一直線に配置したが、もちろん、水平方向あるいは傾けて一直線上に配置してもよい。
【００３６】
本発明の第５実施形態のメダル104を、図７に基づいて説明する。図７(ａ)は折り畳み状態の第５実施形態のメダル104の正面図、同図(ｂ)は展開状態の同メダル104の正面図、そして同図(ｃ)は展示状態のメダル104の斜視図である。
【００３７】
メダル104は、第１実施形態のメダル１と異なり、各パーツ間の環状分割線を非同芯円状に位置させている。すなわち、各パーツの回動中心は、一つに限定されない。
【００３８】
本発明の第６実施形態のメダル105を、図８に基づいて説明する。図８(ａ)は折り畳み状態の第６実施形態のメダル105の正面図、同図(ｂ)は展開状態の同メダル105の正面図、そして同図(ｃ)は展示状態のメダル105の斜視図である。
【００３９】
メダル105、第１実施形態のメダル１と異なり、各パーツ間の環状分割線を六角形状にしたものである。
【００４０】
本発明の第７実施形態のメダル106を、図９に基づいて説明する。図９(ａ)は折り畳み状態の第７実施形態のメダル106の正面図、同図(ｂ)は展開状態の同メダル106の正面図、そして同図(ｃ)は展示状態のメダル106の斜視図である。
【００４１】
メダル105、第１実施形態のメダル１と異なり、各パーツ間の環状分割線を四角形状にしたものである。
【００４２】
以上、本発明の第４乃至第７実施形態で説明したように、軸体の位置を変えることによる各パーツの回動方向、環状分割線の同芯性／非同芯性、各パーツの形状は自由に選択することができる。
【００４３】
本発明の第８実施形態のメダル107を、図10に基づいて説明する。図10(ａ)は展開状態の第８実施形態のメダル107(10B)の正面図、同図(ｂ)は同メダル107のパーツの構造説明図である。
【００４４】
図10(ａ)に示すように、メダル107(107Ｂ)は、第２パーツ３乃至第５パーツ６のそれぞれを２つの部分３Ａ及び３Ｂ、４Ａ及び４Ｂ、５Ａ及び５Ｂ、６Ａ及び６Ｂを組み上げているが、見た目上は、第１実施形態のメダル１(１Ｂ)と異ならない。
【００４５】
図10(ｂ)は、第４パーツ５の構造を一例として示すが、同パーツ５は第１部分５Ａと第２部分５Ｂを連結して構成している。各部分５Ａ、５Ｂの一端には、鎌ほぞ形状を有する凸部５Ａｘ、５Ｂｘが形成されており、他端には同凸部に嵌合する凹部５Ａｙ、５Ｂｙが形成されている。このため、各部分５Ａ、５Ｂをスライドさせて、両者の凸部５Ａｘ、５Ｂｘ及び凹部５Ａｙ、５Ｂｙを嵌合させることにより、両部分５Ａ、５Ｂは同スライド方向以外には動かなくなり、両者は連結される。
【００４６】
また、それぞれの凸部５Ａｘ、５Ｂｘの、内周面側には軸体９Ａ、９Ｂが固定されており、両部分５Ａ、５Ｂをスライドさせて連結する際に、内側の第４パーツ(図示しない)の挿入穴に挿入することで、内側に隣接する第４パーツも同時に連結することができる。
【００４７】
すなわち、第２パーツ３の第１部分３Ａ、第２部分３Ｂを連結する際に内側の第１パーツ２を連結し、次に第３パーツ４の第１部分４Ａ、第２部分４Ｂを連結する際に内側の第２パーツ３を連結し、といったように、内側から外側に順次パーツを組み上げていくと、内側のパーツは外側のパーツに移動を制限されて凸部と凹部の結合が解除されなくなる。
【００４８】
そして、最も外側に位置する第５パーツ６の第１部分６Ａ、第２部分６Ｂをネジ止め等により固定するだけで内側の各パーツの両部分の結合を維持することができ、一方、第５パーツ６の両部分６Ａ、６Ｂの結合を解除するだけで、順次内側パーツの結合を簡単に解除することができる。
【００４９】
このように、本実施形態によれば、各パーツ２乃至６によるメダル107の組立てを、多くのネジ止め作業に依らず行うことができ、製造工程を簡略化することができ、量産に適したものとすることができる。
【００５０】
本発明の第９実施形態のメダル108を、図11を用いて説明する。図11は、折り畳み状態のメダル108(108Ａ)の部分断面図である。
【００５１】
メダル108は、上記実施形態と異なり、軸体を用いず、内側のパーツの突起と外側のパーツの窪みによって両者を連結する構造を有する。各パーツ間の連結構造を代表して、第１パーツ２と第２パーツ３との間の関係で説明する。
【００５２】
同図に示すように、メダル108の第１パーツ３の外周面には対角線上に２つの半球形状の突起２ｘが形成されている。また、第２パーツ３の内周面には、やはり対角線上に２つの円筒状の窪み３ｙが形成されている。
【００５３】
第１パーツ２を、第２パーツ３の内面に圧入すると、突起２ｘが窪み３ｙにパチっと嵌めこまれ、両者はこの突起２ｘを中心に、ある程度の摩擦を持って回動することになる。
【００５４】
本実施形態によれば、各パーツ２乃至６の組立をそれぞれのパーツの圧入作業だけでの終了させることができ、メダル108の組立作業を極めて簡略化させることができ、さらに量産性に優れるメダルとすることができる。
【００５５】
本発明の第10実施形態のメダル109を、図12を用いて説明する。図12は、折り畳み状態のメダル109(109Ａ)の部分断面図である。
【００５６】
メダル109は、第一実施形態のメダル１と異なり、回転中心となる軸体７Ａ乃至10Ｂに対して直交する方向の、それぞれのパーツ2乃至6の外周面及び内周面が曲面になるように形成されている。例えば、図４(ａ)においては、第１パーツ２と第２パーツ３の当接面２ｒ、３ｒは、それぞれのパーツの回動中心に等距離となるような曲面となっている。同図(ｂ)においては、第２パーツ３と第３パーツ４の当接面３ｒ、４ｒも、同様に回動中心から等距離の曲面となっている。
【００５７】
メダル109はかかる構造を有するために、それぞれ内側のパーツが回動する際に、回動中心から等距離に回動するため、曲面が回動時の干渉を回避して、円滑に各パーツを回動させることができる。
【００５８】
本発明の第11実施形態のメダル110を、図13を用いて説明する。図13(ａ)は通常の折り畳み状態のメダルの正面図であり、同図(ｂ)はその一部拡大図である。
【００５９】
メダル110は、回動軸として時計のバンドの連結軸として用いる、ばね軸27乃至30を使用する。同図(ｂ)に示すように、ばね軸30は、軸本体30ａの両端に伸縮軸30ｂが付勢されて突出する構造を有し、この伸縮軸30ｂは所定のストロークをもって軸本体30ａに後退可能である。
【００６０】
ばね棒30を内側のパーツ５の穴５ａに挿入した後、伸縮軸30ｂを後退させながら、外側のパーツ６に嵌入する。そして、伸縮軸30ｂがパーツ６の穴６ｂに到達することで伸縮棒30ｂは、自ら所定位置に延伸し、両パーツ５、６の連結を可能とする。
【００６１】
また、加えて、各パーツ２乃至６が折り畳み状態にある状態で、それぞれの外周面及び内周面に対向する一対の磁石40(40Ａ、40Ｂ)を埋設している。このため、ばね軸30による各パーツ２乃至６の係合が多少緩くとも、磁石が牽引し合って折り畳み状態を維持することができる。
【００６２】
本発明の第12実施形態のメダル111を、図14を用いて説明する。図14(ａ)は、同メダルの11の最外部に位置するパーツの構造の説明図であり、同図(ｂ)は、同パーツにリボンを取り付ける一連の作業の説明図である。
【００６３】
メダル111の最外部のパーツ６には、内周面から外周面に貫通するリボン取付け穴が形成されている。この穴は、外周面側の小スリット部６ｃと内周面側の大スリット部６ｄとから構成される。
【００６４】
また、メダル111に使用するリボン25は、リボン本体25ａとその一端に取り付けた、所定の重量を有する金属製のアンカー25ｂとから構成され、アンカー25ｂはパーツ６の大スリット部６ｄと嵌合する構造となっている。すなわち、アンカー25ｂを大スリット部６ｄに嵌合すると、アンカー25ｂの表面はパーツ６の内周面に対して連続し、パーツ６の内周面に突出しない構造となっている。
【００６５】
図14(ｂ)により、リボン25の一連の着脱方法を説明する。まず、リボン25のリボン本体25ａの上端を、パーツ６の大スリット部６ｄから小スリット部６ｃに通す。そして、さらにリボン本体25ａを上方に引き上げると、アンカー25ｂが大スリット部６ｄに嵌合する。アンカー25ｂは、小スリット部６ｃに当接してリボン25の抜け止めとして機能するほか、その下端はパーツ６の内周面に面一に連続するために、内側に他のパーツを嵌入しても、その回動に干渉することはない。
【００６６】
また、リボン25を外すときは、パーツ６の内側のパーツを展開させて、パーツ６の内周面に空間を作ったうえで、リボン25を撓ませる。すると、アンカー25ｂは自重で大スリット６ｄから降下し、リボン本体25ａを簡単に引き抜くことができる。
【００６７】
以上説明したように、本実施形態のメダル111によれば、他の実施形態のように、展示用台座にメダルを飾り、あるいは、リボンを取り付けた授与状態に戻す祭にも、リボン25の着脱を簡単に行うことができる。
【００６８】
以上、本発明のメダルを第１実施形態乃至第12実施形態に基づいて説明したが、その他、多様なバリエーションを選択することができる。例えば、上記実施形態は複数の環状分割線でメダルをパーツに分割したが、分割線は１つとし２つのパーツで構成することもできるし、また、第１実施形態の第１パーツ２を有さないような、折り畳み状態においてドーナツ状のメダルとしてもよい。さらに、例えば、各パーツ間の回動摩擦を所定数値にするため、軸体と各パーツ間にスプリングなどを介在させることも可能である。
【００６９】
また、上記実施形態では、各パーツを金属で形成するものとして説明したが、その他、ガラス、アクリル、樹脂含浸木材など、多様な素材を選択することができる。特に、隣接するパーツをこれら多様な素材から選択される、異材質のパーツで構成すれば、隣接するパーツ間で質感が異なる年輪状の意匠を創作することができる。
【符号の説明】
【００７０】
１、101乃至111  メダル
２乃至６     パーツ
２ｓ、３ｓ   傾斜面
２ｒ、３ｒ   曲面
２ｙ         窪み
３ｘ         突起
５Ａ         (第４パーツの)第１部分
５Ｂ         (第４パーツの)第２部分
７乃至10    軸体
Ｘ１乃至Ｘ４ 環状分割線
22           リボン
23           展示用台座
24           ロッド
25           リボン
25ｂ         アンカー
40           磁石
【図１】
2019068917.tif 000003
【図２】
2019068917.tif 000004
【図３】
2019068917.tif 000005
【図４】
2019068917.tif 000006
【図５】
2019068917.tif 000007
【図６】
2019068917.tif 000008
【図７】
2019068917.tif 000009
【図８】
2019068917.tif 000010
【図９】
2019068917.tif 000011
【図１０】
2019068917.tif 000012
【図１１】
2019068917.tif 000013
【図１２】
2019068917.tif 000014
【図１３】
2019068917.tif 000015
【図１４】
2019068917.tif 000016